(57)【要約】【課題】絵広告媒体物の外側にシルエットパネル体を設ける工夫をすることで、より効果的な絵看板広告にできることを究めたものである。本発明は、絵広告媒体物の外側にシルエットパネル体を設けた、絵広告媒体物をより印象深くなるように点滅発光に工夫を凝らしたＥＬパネルの絵広告点滅発光装置を提供しようとするものである。【解決手段】ＥＬパネルにおいて、カッテングした絵広告パネル本体の外側近傍に、前記絵広告パネル本体の輪郭を象ったシルエットパネル体を、前記絵広告パネル本体とは分離した状態に成型して設け、併せて前記絵広告パネル本体と、前記シルエットパネル体とを一体的にラミネートによる熱着加工をすると共に、当該ＥＬパネル点滅発光装置において、一番目に前記シルエットパネル体を、二番目に前記絵広告パネル本体を、三番目に前記一番目のシルエットパネル体と、二番目の絵広告パネル本体とを同時に、という順で、少しの時間差を設けて、繰り返し順に点滅発光させる。【選択図】  図１
2004177916.tif 000002
【特許請求の範囲】
【請求項１】
ＥＬパネルにおいて、カッテングした絵広告パネル本体（２）の外側近傍に、前記絵広告パネル本体（２）の輪郭を象ったシルエットパネル体（１）を、前記絵広告パネル本体（２）とは分離した状態に成型して設け、併せて前記絵広告パネル本体（２）と、前記シルエットパネル体（１）とを一体的にラミネートによる熱着加工をすると共に、当該ＥＬパネル点滅発光装置において、一番目に前記シルエットパネル体（１）を、二番目に前記絵広告パネル本体（２）を、三番目に前記一番目と二番目のパネル体を同時に、という順で、少しの時間差を設けて、繰り返し順に点滅発光させることを特徴とするＥＬパネルの絵広告点滅発光装置。
【発明の詳細な説明】
【０００１】
【発明の属する技術分野】
本発明は、ＥＬ（エレクトロルミネセンスともいう）パネルの絵広告媒体物に関するもので、詳しくは絵広告媒体物の外側にシルエットパネル体を設け、点滅発光させることのできるＥＬパネルの絵広告点滅発光装置に関する。
【０００２】
【従来の技術】
近年ＥＬパネルによる看板広告が目につくようになってきている。ＥＬパネルは、近年の技術進歩に伴い三原色は勿論のこと、必要とする色調を出せる技術水準にある。ＥＬパネルによる看板広告は、薄い、軽量、省電力、熱を持たない発光体、ムラのない面発光で点滅発光させることが可能という特徴を有するものである。従ってＥＬパネルを加工した看板広告媒体物としての広範な用途をもっている。ＥＬパネルによる看板広告媒体物は、そのカラフルさと相俟って、透明感のある面発光体はニユーフェイスの看板体であり、これまでに存在しなかった新しい広告媒体物として注目されているものである。
【０００３】
【発明が解決しようとする課題】
ＥＬパネルによる看板広告媒体物は、その用いられ方はおよそ次の三通りである。一つ目は、文字のみによる看板広告媒体物である。二つ目は、絵のみによる看板広告媒体物である。三つ目は、文字と絵を組み合わせた看板広告媒体物である。本発明は絵広告媒体物に関するものであるから、前記の二つ目、三つ目に適用されるものである。文字広告媒体物が表現する内容を読んで理解しなければならないのに対し、絵広告媒体物は、絵そのものが伝えたい内容を表現できることから、観ただけで理解できるという強みを持っている。従って絵広告媒体物は看板広告としての役割は大きく、また広範な用いられ方が期待できるものである。本発明は、発明者がＥＬパネルの研究に長い間組む中で、絵広告媒体物の外側にシルエットパネル体１を設ける工夫をすることで、より効果的な絵看板広告にできることを究めたものである。しかるに従来の技術では、ＥＬパネルによる絵広告媒体物の外側にシルエットパネル体１を設けて、点滅発光させる絵方広告看板は見当たらなかった。従って本発明は、絵広告媒体物の外側にシルエットパネル体１を設け、絵広吉媒体物がより印象深く映し出せるように、工夫を凝らしたＥＬパネルの絵広告点滅発光装置を提供しようとするものである。
【０００４】
【課題を解決するための手段】
上記目的を達成するために、本発明におけるＥＬパネルの絵広告点滅発光装置は、次のような構成としている。
【請求項１】ＥＬパネルにおいて、カッテングした絵広告パネル本体２の外側近傍に、前記絵広告パネル本体２の輪郭を象ったシルエットパネル体１を、前記絵広告パネル本体２とは分離した状態に成型して設け、併せて前記絵広告パネル本体２と、前記シルエットパネル体１とを一体的にラミネートによる熱着加工をすると共に、当該ＥＬパネル点滅発光装置において、一番目に前記シルエットパネル体１を、二番目に前記絵広告パネル本体２を、三番目に前記一番目のシルエットパネル体１と、二番目の絵広告パネル本体２とを同時に、という順で、少しの時間差を設けて、繰り返し順に点滅発光させる。
【０００５】
【発明の実施の形態】本発明の実施例について図面を参照に説明する。
図１、２は、本発明の一実施例を示すものである。図１は、一体的にラミネート加工したＥＬパネルの正面図、図２は、本実施例の論理タイミングチャートである。
【０００６】
本実施例では図１に示すように、ＥＬパネルにおいて、カッテングした絵広告パネル本体２の外側近傍に、前記絵広告パネル本体２の輪郭を象ったシルエットパネル体１を、前記絵広告パネル本体２とは分離した状態に成型して設け、併せて前記絵広告パネル本体２と、前記シルエットパネル体１とを一体的にラミネートによる熱着加工してある。また当該ＥＬパネル点滅発光装置は、図２の論理タイミングチャートに示すように、一番目に前記シルエットパネル体１を、二番目に前記絵広告パネル本体２を、三番目に前記一番目のシルエットパネル体１と、二番目の絵広告パネル本体２とを同時に、という順で、少しの時間差を設けて、繰り返し順に３段階の点滅発光ができるようになっている。
【０００７】
上記のＥＬパネル点滅発光回路は、次の工程を経て達成される。
ｉ．インバータ回路にＡＣ又はＤＣ電源を接続し、ＥＬパネルにＡＣ１００Ｖ４００Ｈｚを供給する。
ｉｉ．点灯制御回路に電源回路からＤＣの１２Ｖから５Ｖを供給する。
ｉｉｉ．点灯制御回路は、クロック発生回路と３ピットレジスタなどの論理回路を使い出力回路でＥＬパネルを点灯させる。
【０００８】
本発明は、上記のように構成されているので、ＥＬパネルを用いた絵広告媒体物の実施をすると、まず一番目の広告媒体物として、シルエットパネル体１を点滅発光させて、絵広告パネル本体２を映し出す予告発光を行う。このシルエットパネル体１の予告発光をすることにより、絵広告媒体物を象徴的・幻想的に表現できると同時に、絵広告媒体物への興味を持たせることができる。次に二番目の広告媒体物として、絵広告パネル本体２を点滅発光させて、広告目的を絵で表現した広告媒体物の本体を映し出すのである。この場合、この前段にシルエットパネル体１の点滅発光があったことから、絵広告パネル本体が２一層際立って映し出されることになる。最後に三番目の広告媒体物として、一番目のシルエットパネル体１と、二番目の絵広告パネル本体２とを同時に、点滅発光させる。この絵広告媒体物では、絵広告パネル本体２と同時に、絵広告パネル本体２の外側にシルエットパネル体１を映し出すので、絵広告パネル本体２が大きく拡張された状態に映し出すことができる。この絵広告パネル本体２を大きく拡張された状態に映し出すことで、絵広告媒体物をより強力に印象ずけることができる。更にこの後、この一番目、二番目、三番目の三段階を順に繰り返す点滅発光により、絵広告媒体物を変化に富んだ飽きのこない点滅発光ができ、看板広告としての役割を十分に果たすことができる。
【０００９】
本絵広告媒体物は、店の看板広告や商品広告、非常口の案内などの屋内案内板、クリスマス・ツリーの飾り物などの室内飾り物、等々、広範な広告媒体物としての適用が期待できる。
【００１０】
【発明の効果】
本発明は上記のとおり構成されているので、次に記載する効果を奏する。
１．絵広告パネル本体２を点滅発光する前に、その輪郭を表現できるシルエットパネル体１を点滅発光させることによって、絵広告媒体物の陰影を予告的に、幻想的・象徴的に表現することができる。
２．一番目にシルエットパネル体１を、二番目に絵広告パネル本体２を、三番目に一番目のシルエットパネル体１と、二番目の絵広告パネル本体２とを同時に、という３段階に、点滅発光させることで、点滅発光が変化に富んだものになり、映し出された絵広告媒体物を飽きることなく観ることができるので、看板広告としての役割を十分に果たすことができる。
３．ＥＬパネルの透明感のある電光と相俟って、絵広告媒体物の３段階の陰影の点滅発光はより美しく印象的なものになり、ＥＬ絵広告媒体物に夢とロマンを醸し出す雰囲気を漂わすことができる。
【００１１】
【図面の簡単な説明】
【図１】一体的にラミネート加工したＥＬパネルの正面図である。
【図２】本発明の論理タイミングチャートである。
【００１２】
【符号の説明】
（１）    は  シルエットパネル体
（２）    は  絵広告パネル本体
【図１】
2004177916.tif 000003
【図２】
2004177916.tif 000004